(57)【要約】【課題】    本発明は、ワンタッチでロックされる継手において、継手全体を大型化せずに、ソケットとプラグとの接続状態時、施錠子がスリーブに引っ掛かる距離を、十分に確保できる継手の提供を目的とする。【解決手段】  本発明の管継手１は、ソケット１０と、ソケット１０に挿入されるプラグ３０と、ソケット１０に形成されるワンタッチ接続用長孔１３ａと、ワンタッチ接続用長孔１３ａに収容されるワンタッチ接続用ボール１２ａと、長孔１３ａより後方で、ソケット１０に形成されるロック用丸孔１３ｂと、丸孔１３ｂに収容されるロック用ボール１２ｂと、プラグ３０に形成されて前記各ボールを押し出すプラグ側押出部３２と、プラグ側押出部３２より後方のプラグ３０に形成され、各ボールを収容するプラグ側溝部３４と、ソケット１０に取り付けられるスリーブ５０とから構成される。長孔１３ａの長手方向が挿入方向に対して平行に形成されており、ソケット１０にプラグ３０を着脱する際に、ボール１２ａは長孔１３ａの長手方向で移動する。【選択図】  図６
2008128418.tif 000002
【特許請求の範囲】
【請求項１】
ソケットと、前記ソケットに挿入されるプラグと、前記ソケットに形成される操作子用孔と、前記操作子用孔に収容される操作子と、前記ソケットに形成される施錠子用孔と、前記施錠子用孔に収容される施錠子と、前記プラグに形成され、前記プラグが前記ソケットに挿入されると、前記操作子または前記施錠子を押し出す押出部と、前記操作子または前記施錠子を収容するために、前記プラグに形成されるプラグ側溝部と、前記ソケットに取り付けられるスリーブと、前記スリーブを所定状態に付勢する付勢部材とから構成される継手において、
前記操作子用孔が長孔であり、前記長孔の長手方向が前記ソケットを前記プラグに挿入する挿入方向に対して平行に形成されており、前記ソケットに前記プラグを着脱する際に、前記操作子が前記長手方向を移動することを特徴とする継手。
【請求項２】
請求項１に記載の継手において、
前記ソケットに前記プラグを挿入すると、前記操作子が、前記押出部によって押されて、押された前記操作子は、前記スリーブに当接した状態で前記長孔に沿って移動することにより、前記スリーブを前記付勢部材の付勢力に抗して第１方向に移動し、
前記スリーブが前記第１方向に移動した後、前記操作子は、前記長孔の第１端で停止して、前記押出部から離れて前記プラグ側溝部に収容される一方、前記施錠子は、前記押出部によって押し出されて、前記プラグ側溝部へ移動し、
前記施錠子が前記プラグ側溝部に移動すると、前記スリーブは、前記付勢部材の付勢力にしたがって前記第１方向とは異なる第２方向に移動して、前記施錠子を前記プラグ側溝部に保持することにより、前記ソケットに前記プラグを連結することを特徴とする継手。
【請求項３】
請求項２に記載の継手において、
前記スリーブが前記第２方向に移動する際に、前記スリーブは、前記操作子を前記長孔の第２端まで移動して停止させることを特徴とする継手。
【請求項４】
請求項２に記載の継手において、
前記操作子が前記長孔に収容された状態で、前記操作子の一部が常に、前記ソケットの外周面から突出しており、
前記操作子の前記一部が前記第１方向に移動する際に、前記スリーブが、前記操作子の前記一部に押されて移動して、前記操作子が前記長孔の前記第１端に停止し、
前記スリーブが前記第２方向に移動する際に、前記操作子の前記一部が、前記スリーブに押されて移動して、前記操作子が前記長孔の前記第２端に停止することを特徴する継手。
【請求項５】
請求項１乃至４の何れか一項に記載の継手において、
前記押出部は、前記操作子に当接するプラグ側傾斜面を備えており、前記スリーブは、前記操作子に当接するスリーブ側傾斜面を備えており、
前記プラグ側傾斜面の傾斜角度が、スリーブ側傾斜面の傾斜角度より大きいことによって、前記操作子は、前記スリーブ側に押し出されず、前記長孔に沿って、前記挿入方向に対して平行な方向に移動することを特徴とする継手。
【請求項６】
請求項１乃至５の何れか一項に記載の継手において、
前記スリーブは、前記施錠子に当接し、前記ソケットと前記プラグの引き抜きを阻止する施錠面を備えていることを特徴とする継手。
【請求項７】
請求項１乃至６の何れか一項に記載の継手において、
前記プラグは、前記挿入方向に対して前記プラグ側溝部の後方に、半径方向外側に突出するプラグ側段部を備えており、前記操作子が前記長孔を移動する際に、前記操作子が前記プラグ側段部に乗り上げることにより、前記プラグ側段部は、前記長孔の内側開口縁部から離間して前記操作子を移動させることを特徴とする継手。
【請求項８】
ソケットと、前記ソケットに挿入されるプラグと、前記ソケットに形成される操作子用孔と、前記操作子用孔に収容される操作子と、前記ソケットへの前記プラグの挿入方向に対して前記操作子用孔より後方で、前記ソケットに形成される施錠子用孔と、前記施錠子用孔に収容される施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ側溝部と、前記ソケットに取り付けられるスリーブと、前記スリーブを所定状態に付勢する付勢部材とから構成される継手に用いるソケットにおいて、
前記操作子用孔が長孔であり、前記長孔の長手方向が前記挿入方向に対して平行に形成されており、前記ソケットに前記プラグを着脱する際に、前記操作子が前記長手方向を移動することを特徴とするソケット。
【請求項９】
請求項８に記載のソケットに用いられるプラグにおいて、
前記プラグは、前記挿入方向に対して前記プラグ側溝部の後方に、半径方向外側に突出するプラグ側段部を備えており、前記操作子が前記長孔を移動する際に、前記操作子が前記プラグ側段部に乗り上げることにより、前記プラグ側段部は、前記長孔の内側開口縁部から離隔して前記操作子を移動させることを特徴とするプラグ。
【発明の詳細な説明】
【技術分野】
【０００１】
本発明はソケット及びプラグから構成される継手に関し、特に、プラグをソケットに挿入するだけで両者の連結ができる、いわゆるワンタッチ連結式の管継手、及びこのような継手に用いられるソケット及びプラグに関する。
【背景技術】
【０００２】
従来のワンタッチ連結式の管継手としては、本出願人によって特許文献１の管継手が提案されている。
【０００３】
特許文献１の管継手は、その図１乃至図６に示されるように、ソケット１２と、ソケット１２に挿入されるプラグ１４と、ソケット１２に取り付けられたスリーブ２２とから構成されており、施錠子２０及び操作子２８からなる２列のボールを備えるものである。
【０００４】
この管継手において、ソケットに形成されプラグを受け入れるソケット本体１８は、施錠子２０を受け入れた第１貫通孔１８−１及び操作子２８を受け入れた第２貫通孔１８−２を有する。ソケット本体１８に挿入されるプラグの傾斜面１４−３がスリーブ操作子を半径方向外側へ押圧し、スリーブ２２の傾斜面２２−３を押圧し、該スリーブ２２を軸線方向に変位し、スリーブ操作子の半径方向外側への変位を許容する。プラグ１４が更に挿入されて該プラグが施錠子２０に係合して半径方向外側に動かすときに、スリーブ２２の傾斜面が、該施錠子によって係合され、スリーブ２２を更に上記軸線方向で動かす。このように施錠子及び操作子が共に半径方向外側に動かされて、最終的には、プラグの円筒状外表面に設けられた施錠凹部１４−２に嵌合されて、施錠子２０の半径方向外側位置に施錠面２２−１が位置し、当該管継手の連結が完成する。
【特許文献１】国際公開２００５／０２８９４０号パンフレット
【発明の開示】
【発明が解決しようとする課題】
【０００５】
特許文献１に記載されたものは、ワンタッチでソケットとプラグとの連結を行い、スリーブの軸線方向への移動により、ロックを解除することができるが、ソケットとプラグとの接続状態時、施錠子がスリーブに引っ掛かる距離は、操作子と施錠子との間の距離により決定される。この施錠子がスリーブに引っ掛かる距離が短いと、スリーブのわずかな後退ストロークでロックを解除できるという利便性があるものの、落下や不意な衝撃等によって、スリーブがわずかに後退するだけで、スリーブが意図せずに前記距離を移動して、ロックが解除されてしまう。施錠子がスリーブに引っ掛かる距離を十分に確保するためには、スリーブの傾斜面を長く取ったり、操作子の径を大きくする等の必要があり、継手全体の大型化を招来するという問題があった。
【０００６】
本発明は、ワンタッチでロックされる継手において、継手全体の大型化を招来せずに、施錠子がスリーブに引っ掛かる距離を十分に確保できる継手の提供を目的とする。また、本発明は、このようなソケットに好適な形状を有するプラグの提供も目的とする。
【課題を解決するための手段】
【０００７】
上記課題を解決するために、第１の発明は、ソケットと、前記ソケットに挿入されるプラグと、前記ソケットに形成される操作子用孔と、前記操作子用孔に収容される操作子と、前記ソケットに形成される施錠子用孔と、前記施錠子用孔に収容される施錠子と、前記プラグに形成され、前記プラグが前記ソケットに挿入されると、前記操作子または前記施錠子を押し出す押出部と、前記操作子または前記施錠子を収容するために、前記プラグに形成されるプラグ側溝部と、前記ソケットに取り付けられるスリーブと、前記スリーブを所定状態に付勢する付勢部材とから構成される継手において、前記操作子用孔が長孔であり、前記長孔の長手方向が前記ソケットを前記プラグに挿入する挿入方向に対して平行に形成されており、前記ソケットに前記プラグを着脱する際に、前記操作子が前記長手方向を移動することを特徴とする継手である。
【０００８】
第２の発明は、第１の発明に記載の継手において、前記ソケットに前記プラグを挿入すると、前記操作子が、前記押出部によって押されて、押された前記操作子は、前記スリーブに当接した状態で前記長孔に沿って移動することにより、前記スリーブを前記付勢部材の付勢力に抗して第１方向に移動し、前記スリーブが前記第１方向に移動した後、前記操作子は、前記長孔の第１端で停止して、前記押出部から離れて前記プラグ側溝部に収容される一方、前記施錠子は、前記押出部によって押し出されて、前記プラグ側溝部へ移動し、前記施錠子が前記プラグ側溝部に移動すると、前記スリーブは、前記付勢部材の付勢力にしたがって前記第１方向とは異なる第２方向に移動して、前記施錠子を前記プラグ側溝部に保持することにより、前記ソケットに前記プラグを連結することを特徴とする継手である。
【０００９】
第３の発明は、第２の発明に記載の継手において、前記スリーブが前記第２方向に移動する際に、前記スリーブは、前記操作子を前記長孔の第２端まで移動して停止させることを特徴とする継手である。
【００１０】
第４の発明は、第２の発明に記載の継手において、前記操作子が前記長孔に収容された状態で、前記操作子の一部が常に、前記ソケットの外周面から突出しており、前記操作子の前記一部が前記第１方向に移動する際に、前記スリーブが、前記操作子の前記一部に押されて移動して、前記操作子が前記長孔の前記第１端に停止し、前記スリーブが前記第２方向に移動する際に、前記操作子の前記一部が、前記スリーブに押されて移動して、前記操作子が前記長孔の前記第２端に停止することを特徴する継手である。
【００１１】
第５の発明は、第１乃至４の発明の何れか一項に記載の継手において、前記押出部は、前記操作子に当接するプラグ側傾斜面を備えており、前記スリーブは、前記操作子に当接するスリーブ側傾斜面を備えており、前記プラグ側傾斜面の傾斜角度が、スリーブ側傾斜面の傾斜角度より大きいことによって、前記操作子は、前記スリーブ側に押し出されず、前記長孔に沿って、前記挿入方向に対して平行な方向に移動することを特徴とする継手である。
【００１２】
第６の発明は、第１乃至５の発明の何れか一項に記載の継手において、前記スリーブは、前記施錠子に当接し、前記ソケットと前記プラグの引き抜きを阻止する施錠面を備えていることを特徴とする継手である。
【００１３】
第７の発明は、第１乃至６の発明の何れか一項に記載の継手において、前記プラグは、前記挿入方向に対して前記プラグ側溝部の後方に、半径方向外側に突出するプラグ側段部を備えており、前記操作子が前記長孔を移動する際に、前記操作子が前記プラグ側段部に乗り上げることにより、前記プラグ側段部は、前記長孔の内側開口縁部から離間して前記操作子を移動させることを特徴とする継手である。
【００１４】
第８の発明は、ソケットと、前記ソケットに挿入されるプラグと、前記ソケットに形成される操作子用孔と、前記操作子用孔に収容される操作子と、前記ソケットへの前記プラグの挿入方向に対して前記操作子用孔より後方で、前記ソケットに形成される施錠子用孔と、前記施錠子用孔に収容される施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ側溝部と、前記ソケットに取り付けられるスリーブと、前記スリーブを所定状態に付勢する付勢部材とから構成される継手に用いるソケットにおいて、前記操作子用孔が長孔であり、前記長孔の長手方向が前記挿入方向に対して平行に形成されており、前記ソケットに前記プラグを着脱する際に、前記操作子が前記長手方向を移動することを特徴とするソケットである。
【００１５】
第９の発明は、第８の発明に記載のソケットに用いられるプラグにおいて、前記プラグは、前記挿入方向に対して前記プラグ側溝部の後方に、半径方向外側に突出するプラグ側段部を備えており、前記操作子が前記長孔を移動する際に、前記操作子が前記プラグ側段部に乗り上げることにより、前記プラグ側段部は、前記長孔の内側開口縁部から離隔して前記操作子を移動させることを特徴とするプラグである。
【発明の効果】
【００１６】
本発明によれば、ワンタッチ接続式の継手において、長孔の長手方向を操作子が移動するため、スリーブの傾斜面の長さや操作子の径等を大きくすることなく、継手全体を大型化せずに、操作子と施錠子との距離を十分に確保することができ、落下や不意な衝撃等によってスリーブがわずかに移動してもロックが解除されることがない程度に、施錠子がスリーブに引っ掛かる距離を設定することができる。
【発明を実施するための最良の形態】
【００１７】
本発明に係る継手を管継手に適用した各実施形態を、図面を参照して説明する。
【００１８】
〔第１の実施形態〕本発明の第１の実施形態に係る管継手を、図１乃至図１３を参照して説明する。図１は管継手１の外観側面図を示している。この管継手１は、管状のソケット１０と、当該ソケット１０に挿入して連結されるプラグ３０と、ソケット１０の右端側（プラグ３０の挿入側）でその周囲に取り付けられる管状のスリーブ５０とから構成される。このスリーブ５０は、所定のストロークでソケット１０に対して左右に摺動可能である。さらに、プラグ３０には、ソケット１０に挿入されるプラグ側挿入部３１が形成されており、プラグ側挿入部３１の外周面には、環状に突出するボール押出部３２が形成され、このボール押出部３２の前端側（図１において左側）には前端側から半径方向外側に傾斜するプラグ側テーパ面３２ａが形成され、さらに、このボール押出部３２の後方（図１において右側）には、環状に形成されたプラグ側溝部３４が設けられる。
【００１９】
図１に矢印で示す挿入方向から、プラグ３０がソケット１０に挿入される。なお、以下、図示しないが、ソケット１０及びプラグ３０の内部には両者が接続されると開放する弁がそれぞれ設けられ、これらの弁が開くことによりソケット１０とプラグ３０との間の管路が連通する。
【００２０】
図２は、図１のソケット１０からスリーブ５０を取り外した状態を示すソケット１０の外観図である。ソケット１０は概略管状であり、プラグ側挿入部３１を受け入れるために、管状のソケット側受入管部１１を備えており、ソケット側受入管部１１内にプラグ受入空間が形成される。後述のワンタッチ接続用ボール１２ａを受け入れるワンタッチ接続用長孔１３ａは、ソケット側受入管部１１の壁面を貫通してソケット１０の長手方向（図２において左右）に延びている。ワンタッチ接続用長孔１３ａは、概略長方形状の開口を、ソケット側受入管部１１の内面側及び外面側に有する。さらに、ワンタッチ接続用長孔１３ａは、ソケット側受入管部１１に、円周上所定間隔で複数（３箇所）設けられる。図２において、ソケット１０の右端側から見て、ワンタッチ接続用長孔１３ａの後方に、後述のロック用ボール１２ｂを受け入れるロック用丸孔１３ｂが、円周上所定間隔で複数（６箇所）形成されている。
【００２１】
図３に、図１のＡ−Ａ線に沿ったスリーブ５０及びソケット１０の断面図を示す。この図３を用いて、ソケット側受入管部１１におけるロック用丸孔１３ｂの形状及びロック用ボール１２ｂの配置状態を説明する。ロック用丸孔１３ｂは、ソケット側受入管部１１の外面側の開口がボールの直径より大きく形成され、内面側の開口がボールの直径より小さく形成されている。したがって、ロック用丸孔１３ｂに収容されたロック用ボール１２ｂは、ソケット側受入管部１１の内側空間に、当該ボールの一部が露出する状態で保持される。
【００２２】
図４に、図１のＢ−Ｂ線に沿ったスリーブ５０及びソケット１０の断面図を示す。この図４を用いて、ソケット側受入管部１１におけるワンタッチ接続用長孔１３ａの形状及びワンタッチ接続用ボール１２ａの配置状態を説明する。ワンタッチ接続用長孔１３ａの断面は、概略台形状又は扇形状断面の空間である。また、ソケット側受入管部１１の内側開口部において、図４におけるワンタッチ接続用長孔１３ａの開口幅は、ワンタッチ接続用ボール１２ａの直径より小さい。また、ソケット側受入管部１１の外側開口部において、図４におけるワンタッチ接続用長孔１３ａの開口幅は、ワンタッチ接続用ボール１２ａの直径より大きく、前記直径の約２倍程度とされている。したがって、ワンタッチ接続用長孔１３ａに収容されたワンタッチ接続用ボール１２ａは、ソケット側受入管部１１の内側空間に、当該ボールの一部が露出する状態で保持される。
【００２３】
さらに、図４のワンタッチ接続用長孔１３ａの断面を形成するテーパ面の延長線と、円形断面を備える管継手の中心点Ｏからワンタッチ接続用長孔１３ａの断面を半径方向に２等分する直線との間の角度θは、本実施形態では約４０度とされている。この角度θが小さいと、ワンタッチ接続用ボール１２ａが半径方向に内側に押し付けられる力が大きくなりワンタッチ接続用ボール１２ａが長孔をスムーズに摺動しにくくなる。また、ワンタッチ接続用ボール１２ａが押し付けられるワンタッチ接続用長孔１３ａの内側開口縁部１３ｃを変形させる可能性がある。そこで、角度θを大きく取ることとした。さらに、このように角度θの値を大きく取ると、ワンタッチ接続用長孔１３ａの切削加工性も向上する。なお、角度θの値としては、４０度に限定されず、例えば、約３０度乃至４０度以上に選択できる。
【００２４】
図３及び図４から明らかなように、ワンタッチ接続用長孔１３ａ、ロック用丸孔１３ｂは、それぞれワンタッチ接続用ボール（操作子）１２ａ、ロック用ボール（施錠子）１２ｂを収容する。また、ワンタッチ接続用ボール１２ａは、図２（ｂ）に示すワンタッチ接続用長孔１３ａの右側端１３ａ１（第２端）と左側端１３ａ２（第１端）との間を左右に移動可能である。
【００２５】
図５に、ソケット１０及びスリーブ５０の断面図を示す。なお、図５（ａ）におけるソケット１０の断面は、ワンタッチ接続用長孔１３ａ及びロック用丸孔１３ｂにおける各ボールの状態を説明するために、図３（ａ）のＣ−Ｃ断面に沿った断面図を用いた。
【００２６】
図５に示すように、スリーブ５０の内周面と、ソケット側受入管部１１の外周面との間の空間には、コイルスプリング１５（付勢部材）が収容されている。また、このコイルスプリング１５の左端には、フランジを有する環状の止め部材１７が設けられている。さらに、止め部材１７の左端には、当該止め部材１７をソケット１０に固定するためのＣ字状の止め輪１７ａが設けられる。止め輪１７ａは、ソケット１０の外側表面に環状に形成されたソケット側溝部１０ａ（図２参照）に嵌合して、ソケット１０に固定される。コイルスプリング１５（付勢部材）は、止め部材１７とスリーブ５０との間に配置され、スリーブ５０をソケット１０の右端側（プラグ３０の挿入側）に付勢している。
【００２７】
図５に示す状態において、図１２の拡大図に示すように、ワンタッチ接続用ボール１２ａの一部（図１２に上下の矢印で挟んで示す）は、ソケット側受入管部１１の外周面から突出するように設定されている。そのため、ワンタッチ接続用ボール１２ａは、スリーブ５０の内面に形成され、スリーブの右端側から半径方向内側に傾斜するスリーブ側テーパ面５０ａに当接している（図１２（ｂ）参照）。ワンタッチ接続用ボール１２ａは、ワンタッチ接続用長孔１３ａの右側端１３ａ１（第２端）と左側端１３ａ２（第１端）との間を左右に移動するとき、少なくともワンタッチ接続用ボール１２ａの一部（図１２に上下の矢印で挟んで示す）を常にソケット側受入管部１１の外周面から突出するように設定されている。
【００２８】
次に、第１の実施形態の管継手において、ソケット１０にプラグ３０を接続する際の動作を、図６乃至図１２を用いて説明する。なお、ワンタッチ接続用ボール１２ａのワンタッチ接続用長孔１３ａにおける状態と、ロック用ボール１２ｂのロック用丸孔１３ｂにおける状態とを、同時に説明するために、図６乃至図１１、図１３において、ソケット１０の断面は、図５と同様に図３のＣ−Ｃ断面に対応するものとする。
【００２９】
図５に示す状態から、プラグ３０の挿入部３１を、ソケット１０のソケット側受入管部１１に差し込むと、図６に示すように、ソケット１０の右端側に位置するワンタッチ接続用ボール１２ａは、プラグ３０のボール押出部３２に形成されたプラグ側テーパ面３２ａに当接する。すなわち、この状態では、ワンタッチ接続用ボール１２ａは、プラグ側テーパ面３２ａとスリーブ側テーパ面５０ａとに対して、それぞれ当接することとなる。
【００３０】
図６の状態からさらに、プラグ３０をソケット１０に押し込んで行くと、ワンタッチ接続用ボール１２ａは、プラグ３０の挿入方向と平行に、スリーブ側テーパ面５０ａを押しスリーブ５０と一体となって、図中左方向にワンタッチ接続用長孔１３ａを摺動して、図８の状態まで移動する。なお、ワンタッチ接続用ボール１２ａがこのような動きをする理由を、以下説明する。図７に示すように、ワンタッチ接続用ボール１２ａは、プラグ側テーパ面３２ａとスリーブ側テーパ面５０ａとの間に挟まれており、プラグ側テーパ面３２ａの角度α（図５ｂ参照）が、スリーブ側テーパ面５０ａの角度β（図５ａ参照）より大きいので、ワンタッチ接続用ボール１２ａは、スリーブ５０側に押し出されず、ワンタッチ接続用長孔１３ａの長辺に沿って、挿入方向に対して平行な方向に移動することとなる。
【００３１】
図８に示すように、ワンタッチ接続用ボール１２ａが、ワンタッチ接続用長孔１３ａの左側端１３ａ２まで移動すると、ワンタッチ接続用ボール１２ａは左側端１３ａ２に当接してもはやワンタッチ接続用長孔１３ａを長手方向に移動できなくなり、この方向において停止する。しかし、この状態でもプラグ３０はソケット１０に対して挿入され続けているため、ワンタッチ接続用ボール１２ａは、プラグ３０の挿入に伴って、スリーブ側テーパ面５０ａを押してスリーブ５０を後退させるとともにプラグ側傾斜面３２ａを転動して通過し、ボール押出部３２の頂上に移動して、図９に示す状態となる。このような移動によって、ワンタッチ接続用ボール１２ａは、ソケット側受入管部１１の内側から外側に押し出される。
【００３２】
一方、図９の状態において、プラグ側テーパ面３２ａは、ロック用ボール１２ｂに当接する。また、ロック用ボール１２ｂは、スリーブ５０の内面に形成されたスリーブ側テーパ面５０ａに当接する。図９の状態からさらに、プラグ３０をソケット１０に押し込んで行くと、ロック用ボール１２ｂは、プラグ側テーパ面３２ａに押されて、スリーブ側テーパ面５０ａを押してスリーブ５０を後退させるとともに当該プラグ側テーパ面３２ａを転動して、ソケット側受入管部１１の内側から外側に移動する。
【００３３】
図１０に示すように、ロック用ボール１２ｂがプラグ３０のボール押出部３２の頂上まで移動した時に、コイルスプリング１５の弾性力に抗してスリーブ５０を左方向に移動させていた力が無くなるため、スリーブ５０は、その移動が停止される。一方、図１０の状態で、ワンタッチ接続用ボール１２ａは、ボール押出部３２の頂上を乗り越えて、プラグ側溝部３４側に移動する。
【００３４】
図１０の状態からさらにプラグ３０をソケット５０に挿入すると、ワンタッチ接続用ボール１２ａは、プラグ側溝部３４に落ち込み、そして、ロック用ボール１２ｂは、ボール押出部３２の頂上を乗り越えて、図１１に示すように、ボール押出部３２の後方のプラグ側溝部３４に落ち込む。ロック用ボール１２ｂがプラグ側溝部３４に落ち込むと、ロック用ボール１２ｂとスリーブ側テーパ面５０ａとの当接が解除される結果、コイルスプリング１５の付勢力により、スリーブ５０がプラグ３０の挿入方向と反対方向（右側）に移動する。ロック用ボール１２ｂ及びワンタッチ接続用ボール１２ａは、プラグ側溝部３４に収容され係合され、図１１に示す状態となる。
【００３５】
このように図１０から図１１の状態に移行する際に、図１２の拡大図に示すように、ワンタッチ接続用ボール１２ａの一部（図１２に上下の矢印で挟んで示す）は、ソケット側受入管部１１の外周面から突出しているため、スリーブ側テーパ面５０ａに当接する（図１２（ａ）参照）。そして、スリーブ５０の移動に伴って、ワンタッチ接続用ボール１２ａは、図中右方向に移動して、ワンタッチ接続用長孔１３ａの右側端１３ａ１に当接して停止する（図１２（ｂ）参照）。この状態で、ロック用ボール１２ｂは、図１１に示すように、スリーブ５０の内周面に形成され、傾斜面５０ａのプラグ挿入方向に対しての後方に連接されたスリーブ施錠面５０ｂと、プラグ側溝部３４との間に挟まれて、ロックされ、スリーブ１０とプラグ３０とを連結状態に固定する。スリーブ施錠面５０ｂは、円形断面を備える管継手の中心を通る軸線と平行に形成されている。連結状態において、ソケット１０からプラグ３０を引き抜こうとしても、ボール押出部３０のプラグ側溝部３４側の傾斜面３２ｂによりロック用ボール１２ｂが押し上げられ、ロック用ボール１２ｂがスリーブ施錠面５０ｂに当接して引き抜きが阻止される。
【００３６】
次に、第１の実施形態において、プラグ３０をソケット１０から取り外す場合の動作を説明する。管継手の使用者は、図１１のロック状態において、コイルスプリング１５の付勢力に抗して、スリーブ５０を後退方向（図１１において左方向）に移動させる。この移動によって、ワンタッチ接続用ボール１２ａ及びロック用ボール１２ｂが、スリーブ５０のスリーブ側テーパ面５０ａの右側に形成された隙間５５（図１３参照）に整合すると、両ボール１２ａ、１２ｂは遊嵌状態となる。この状態で、プラグ３０をソケット１０から分離する方向（図１３において右方向）に引くと、プラグ３０のボール押出部３２によって、ロック用ボール１２ｂ及びワンタッチ接続用ボール１２ａは順に隙間５５側に移動して、プラグ３０の引き抜きが可能になる。
【００３７】
以上説明したように、本実施形態に係る管継手によれば、スリーブ１０とプラグ３０とを連結状態において、ロック用ボール１２ｂがスリーブ５０に対して位置しているのは、傾斜面５０ａからプラグ挿入方向に対しての後方に大きく離れたスリーブ施錠面５０ｂ上の位置であり、継手全体を大型化することなく、ロック用ボール１２ｂのスリーブに引っ掛かる距離（図１１のγ）を、十分に確保することができる構造を得ることができた。
【００３８】
〔第２の実施形態〕本発明の管継手に係る第２の実施形態を説明する。なお、第２の実施形態において、第１の実施形態と同一部分には同一の符号を付してその説明を省略し、図面においても、第１の実施形態と同一の形状の部材は、適宜図示を省略する。
【００３９】
図１４乃至図１７を用いて、第２の実施形態に係るプラグ３０’の構造を説明する。第２の実施形態の管継手１’は、ソケット１０、スリーブ５０、プラグ３０’から構成され、プラグ３０’以外は、第１の実施形態の管継手に用いたものと同一のものを用いる。
【００４０】
図１４及び図１５に示すように、プラグ３０’の挿入部３１において、挿入方向に対して、プラグ側溝部３４の後方に、環状のプラグ側段部３６が形成されている。プラグ側段部３６は、プラグ側溝部３４の底より若干高くなっており、円管状のプラグ３０’の外周面から半径方向外側に突出している。
【００４１】
次に、第２の実施形態の管継手において、ソケット１０にプラグ３０を接続する際の動作を説明する。なお、第２の実施形態における動作は、第１の実施形態で用いた図６乃至図１０に相当する状態では、第１の実施形態と同じなので、説明及び図示を省略する。
【００４２】
第１の実施形態の図１０に相当する状態から、さらにプラグ３０をソケット５０に挿入すると、図１６に示すように、ロック用ボール１２ｂは、ボール押出部３２の頂上を乗り越えて、ボール押出部３２の後方のプラグ側溝部３４に落ち込む。ロック用ボール１２ｂがプラグ側溝部３４に落ち込むと、ロック用ボール１２ｂとスリーブ側テーパ面５０ａとの当接が解除される結果、コイルスプリング１５の弾性力に抗していた力が無くなるため、スリーブ５０がプラグ３０の挿入方向と反対方向（右側）に移動して、図１６に示す状態となる。
【００４３】
その際、第２の実施形態では、スリーブ５０に押されるワンタッチ接続用ボール１２ａは、プラグ側段部３６に当たって、これを乗り上げながら、ワンタッチ接続長孔１３ａの右側端１３ａ１まで移動する。
【００４４】
プラグ側段部３６を形成する理由を、図１７及び図１８を参照して説明する。図１７は、図１６のＤ−Ｄ線に沿った断面図であり、図１８は、図１７の波線円で囲まれたＥ領域の拡大図である。図１８に示すように、ワンタッチ接続用長孔１３ａの内側開口縁部１３ｃは、鋭角であり薄肉になるため、十分な強度を確保できないおそれが生じる。しかし、ワンタッチ用ボール１２ａがワンタッチ接続用長孔１３ａを左から右に移動する場合（図１０から図１６に移動する場合）に、ワンタッチ用ボール１２ａは、プラグ側段部３６に乗り上げて移動することにより、内側開口縁部１３ｃに接触せずに移動することにより、内側開口縁部１３ｃの変形を防止することができる。
【００４５】
上記第１または第２の実施形態では、本発明の継手を管継手に適用した場合を説明したが、本発明は管継手に限らず、例えば、物品を固定する固定継手に適用することも可能である。
【図面の簡単な説明】
【００４６】
【図１】本発明の第１の実施形態に係る管継手を構成するソケット及びプラグの外観側面図である。
【図２】図１のソケットからスリーブを取り外した状態の外観図である。
【図３】図１のＡ−Ａ線に沿ったスリーブ及びソケットの径方向断面図である。
【図４】図１のＢ−Ｂ線に沿ったスリーブ及びソケットの径方向断面図である。
【図５】（ａ）図３のＣ−Ｃ線に沿ったスリーブ及びソケットの長手方向の断面図であり、（ｂ）プラグの長手方向の断面図である。
【図６】第１の実施形態の接続開始状態を示す管継手の断面図である。
【図７】図６の状態からプラグをソケットに挿入した連結開始状態を示す管継手の断面図である。
【図８】図７の状態からプラグをソケットに挿入した連結中状態を示す管継手の断面図である。
【図９】図８の状態からプラグをソケットに挿入した連結中状態を示す管継手の断面図である。
【図１０】図９の状態からプラグをソケットに挿入した連結中状態を示す管継手の断面図である。
【図１１】図１０の状態からプラグをソケットに挿入した連結完了状態を示す管継手の断面図である。
【図１２】（ａ）図８の状態のワンタッチ接続用ボールを示す管継手の要部断面図であり、（ｂ）図５及び図１１の状態のワンタッチ接続用ボールを示す管継手の要部断面図である。
【図１３】図１０の接続完了状態からスリーブを移動して、ソケットからプラグが分離可能となった状態を示す管継手の断面図である。
【図１４】本発明の第２の実施形態に係る管継手を構成するソケット及びプラグの外観側面図である。
【図１５】図１４のプラグの長手方向の断面図である。
【図１６】第２の実施形態に係るプラグをソケットに挿入した接続完了状態を示す管継手の断面図である。
【図１７】図１６のＤ−Ｄ線に沿った管継手の径方向断面図である。
【図１８】図１７のＥ領域の拡大図である。
【符号の説明】
【００４７】
１    管継手
１’  管継手
１０    ソケット
１０ａ  ソケット側溝部
１１    ソケット側受入管部
１２ａ  ワンタッチ接続用ボール（操作子）
１２ｂ  ロック用ボール（施錠子）
１３ａ  ワンタッチ接続用長孔（操作子用孔、長孔）
１３ｂ  ロック用丸孔（施錠子用孔）
１５    コイルスプリング（付勢手段）
１７    止め部材
１７ａ  止め輪
３０    プラグ
３０’  プラグ
３１    プラグ側挿入部
３２    ボール押出部
３２ａ  プラグ側テーパ面（プラグ側傾斜面）
３４    プラグ側溝部
３６    プラグ側段部
５０    スリーブ
５０ａ  スリーブ側テーパ面（スリーブ側傾斜面）
５０ｂ  スリーブ施錠面
【図１】
2008128418.tif 000003
【図２】
2008128418.tif 000004
【図３】
2008128418.tif 000005
【図４】
2008128418.tif 000006
【図５】
2008128418.tif 000007
【図６】
2008128418.tif 000008
【図７】
2008128418.tif 000009
【図８】
2008128418.tif 000010
【図９】
2008128418.tif 000011
【図１０】
2008128418.tif 000012
【図１１】
2008128418.tif 000013
【図１２】
2008128418.tif 000014
【図１３】
2008128418.tif 000015
【図１４】
2008128418.tif 000016
【図１５】
2008128418.tif 000017
【図１６】
2008128418.tif 000018
【図１７】
2008128418.tif 000019
【図１８】
2008128418.tif 000020